(57)【要約】【課題】売り上げを向上させる。【解決手段】トータリゼータシステム１は、受付部２で投票方式と投票方式における競走対象番号の選択規則に沿って選択された競走対象番号とを含み、第１投票内容グループ７を指定する投票内容指定情報６を受付け、生成部３で投票内容指定情報６に含まれる投票方式と異なる競走対象番号の組み合わせ方式に係る生成規則を特定し、特定した生成規則と、投票内容指定情報６に含まれる競走対象番号にもとづいて第２投票内容グループ８を生成し、評価部４で生成した第２投票内容グループ８の投票価値について評価し、出力部５で表示などの出力により第２投票内容グループ８と投票価値とをファンに提供する。【選択図】図１
2017068588.tif 000002
【特許請求の範囲】
【請求項１】
投票方式と前記投票方式における競走対象番号の選択規則に沿って選択された競走対象番号とを含む投票内容指定情報であって、１以上の投票内容を含む第１投票内容グループを指定する投票内容指定情報を受付ける受付部と、
前記投票内容指定情報に含まれる投票方式に対応する生成規則と、前記投票内容指定情報に含まれる競走対象番号とを用いて１以上の投票内容を含む第２投票内容グループを生成する生成部と、
前記第２投票内容グループの投票価値を評価する評価部と、
前記第２投票内容グループと、前記第２投票内容グループの投票価値とを出力する出力部と、を備える、
トータリゼータシステム。
【請求項２】
前記評価部は、前記第１投票内容グループの投票価値を評価し、
前記出力部は、前記第２投票内容グループと、前記第２投票内容グループの投票価値と併せて前記第１投票内容グループと、前記第１投票内容グループの投票価値とを出力する、
請求項１に記載のトータリゼータシステム。
【請求項３】
前記第１投票内容グループの各投票内容は、前記選択規則に沿って選択された競走対象番号を前記投票方式が示す第１の組み合わせ方式により組み合わせることで生成され、
前記第２投票内容グループの各投票内容は、前記選択規則に沿って選択された競走対象番号を前記生成規則が示す前記第１の組み合わせ方式とは異なる第２の組み合わせ方式により組み合わせることで生成される、
請求項１に記載のトータリゼータシステム。
【請求項４】
前記出力部は、
前記第１投票内容グループの投票価値が前記第２投票内容グループの投票価値以上である場合と、未満である場合とで、出力態様を変化させる、
請求項２に記載のトータリゼータシステム。
【請求項５】
過去のレースにおける前記第２投票内容グループの的中実績を記憶する記憶部と、をさらに備え、
前記評価部は、前記第２投票内容グループの的中実績にもとづいて前記第２投票内容グループの投票価値を評価する、
請求項１に記載のトータリゼータシステム。
【請求項６】
投票方式と前記投票方式における競走対象番号の選択規則に沿って選択された競走対象番号とを含む投票内容指定情報であって、１以上の投票内容を含む第１投票内容グループを指定する投票内容指定情報を受付ける受付部と、
前記投票内容指定情報に含まれる投票方式に対応する生成規則と、前記投票内容指定情報に含まれる競走対象番号とを用いて１以上の投票内容を含む第２投票内容グループを生成する生成部と、
前記第２投票内容グループの投票価値を評価する評価部と、
前記第２投票内容グループと、前記第２投票内容グループの投票価値とを出力する出力部と、を備える、
投票支援装置。
【発明の詳細な説明】
【技術分野】
【０００１】
トータリゼータシステム、および投票支援装置に関する。
【背景技術】
【０００２】
競馬や競輪等の公営競技において、トータリゼータシステムは、ファンからレース結果を予想した投票を受付けている。このようなトータリゼータシステムに投票する際に、ファンは、購入金額を抑えるために複数の投票内容から購入する投票内容の絞り込みを行うことがある。たとえば、投票内容の絞り込みに利用する情報（ライン予想等）を提供する装置が知られている。
【先行技術文献】
【特許文献】
【０００３】
【特許文献１】特開２０１４−０８９６２８号公報
【発明の概要】
【発明が解決しようとする課題】
【０００４】
ところで、投票内容の絞り込みの際に除外した投票内容が結果として的中している場合もあるが、従来は再考する機会が提供されていなかったため、ファンは絞り込んだ投票内容だけを購入し、的中機会を喪失する場合があった。
【０００５】
その結果、ファンの公営競技への参加意欲の低下を招き、投票券の売り上げが減少する場合があった。
本発明は、このような問題に鑑みてなされたものであり、売り上げを向上可能なトータリゼータシステム、および投票支援装置の提供を目的とする。
【課題を解決するための手段】
【０００６】
上記課題を解決するために、本発明のトータリゼータシステムおよび投票支援装置が提供される。トータリゼータシステムおよび投票支援装置は、受付部と、生成部と、評価部と、出力部とを備える。
【０００７】
受付部は、投票方式と投票方式における競走対象番号の選択規則に沿って選択された競走対象番号とを含む投票内容指定情報であって、１以上の投票内容を含む第１投票内容グループを指定する投票内容指定情報を受付ける。生成部は、投票内容指定情報に含まれる投票方式に対応する生成規則と、投票内容指定情報に含まれる競走対象番号とを用いて１以上の投票内容を含む第２投票内容グループを生成する。評価部は、第２投票内容グループの投票価値を評価する。出力部は、第２投票内容グループと、第２投票内容グループの投票価値とを出力する。
【発明の効果】
【０００８】
トータリゼータシステムおよび投票支援装置によれば、売り上げを向上できる。
【図面の簡単な説明】
【０００９】
【図１】第一の実施形態におけるトータリゼータシステムの概要を示す図である。
【図２】第二の実施形態におけるトータリゼータシステムの概要を示す図である。
【図３】第二の実施形態における投票支援装置のハードウェア構成の一例を示す図である。
【図４】第二の実施形態における投票端末の機能ブロックを示す図である。
【図５】第二の実施形態における購入予定投票情報の一例を示す図である。
【図６】第二の実施形態における購入投票情報の一例を示す図である。
【図７】第二の実施形態における投票管理サーバの機能ブロックを示す図である。
【図８】第二の実施形態における投票支援装置の機能ブロックを示す図である。
【図９】第二の実施形態における投票履歴情報記憶部が記憶する投票履歴情報の一例を示す図である。
【図１０】第二の実施形態における投票内容再考情報の一例を示す図である。
【図１１】第二の実施形態におけるトータリゼータシステムの投票処理を示すシーケンス図（その１）である。
【図１２】第二の実施形態におけるトータリゼータシステムの投票処理を示すシーケンス図（その２）である。
【図１３】第二の実施形態における投票内容再考画面の一例を示す図である。
【図１４】第二の実施形態における提案投票内容グループ生成処理のフローチャートを示す図である。
【発明を実施するための形態】
【００１０】
以下、実施形態について図面を参照して説明する。
［第一の実施形態］
まず、第一の実施形態のトータリゼータシステムについて、図１を用いて説明する。図１は、第一の実施形態におけるトータリゼータシステムの概要を示す図である。トータリゼータシステム１は、公営競技において用いられるシステムである。公営競技は、競馬、競輪、競艇、オートレースなどがある。トータリゼータシステム１は、受付部２と、生成部３と、評価部４と、出力部５とを備える。
【００１１】
受付部２は、投票内容指定情報６を受付ける。投票内容指定情報６は、第１投票内容グループ７を指定する情報である。第１投票内容グループ７は、１以上の投票内容を含む。投票内容指定情報６は、投票方式と、投票方式における競走対象番号の選択規則に沿って選択された競走対象番号とを含む情報である。競走対象番号は、競走対象を特定可能な情報であり、たとえば、枠番や車番などである。
【００１２】
投票方式は、投票内容を生成する際の競走対象番号の組み合わせ方式であり、投票方式毎に競走対象番号の選択規則が定義されている。投票方式は、「フォーメーション」や「軸流し」や「ボックス」などがある。たとえば、投票方式が「軸流し」である場合、軸となる競走対象番号と、相手となる競走対象番号とを選択する必要がある。第１投票内容グループは、投票方式における競争対象番号の選択規則に沿って選択された競争対象番号を、当該投票方式の組み合わせ方式に沿って組み合わせることで指定される。たとえば、軸が４、相手が２，３，５である場合には、「４−２」、「４−３」、「４−５」の３つの投票内容を含む第１投票内容グループ７が生成される。
【００１３】
生成部３は、投票内容指定情報６にもとづいて第２投票内容グループ８を生成する。生成部３は、投票内容指定情報６に含まれる投票方式に対応する生成規則を特定する。生成規則は、第２投票内容グループ８を生成する規則であり、投票内容指定情報６に含まれる投票方式とは異なる組み合わせ方式である。生成規則は、投票方式毎に予め設定されている。
【００１４】
第２投票内容グループ８は、投票方式とは異なる組み合わせ方式（生成規則）により、投票方式における競走対象番号の選択規則に沿って選択された競走対象番号を組み合わせることで生成された１以上の投票内容を含む。第２投票内容グループ８は、第１投票内容グループ７とは異なる。
【００１５】
たとえば、投票方式が「軸流し」である場合、生成部３は、相手として選択された競走対象番号を互いに組み合わせて第２投票内容グループ８を生成する。たとえば、軸が４、相手が２，３，５である場合には、「２−３」、「２−５」、「３−２」、「３−５」、「５−２」、「５−３」の６つの投票内容を含む第２投票内容グループ８が生成される。
【００１６】
評価部４は、第２投票内容グループ８の投票価値について評価する。投票価値は、第２投票内容グループ８の期待度（投票する価値）を示す情報であり、投票行動の決定の参考にされ得る情報である。第２投票内容グループ８の投票価値は、たとえば、過去に生成した第２投票内容グループ８の的中実績（的中率）である。
【００１７】
出力部５は、第２投票内容グループ８と、第２投票内容グループ８の投票価値とを出力する。出力部５は、表示などの出力により第２投票内容グループ８と投票価値とをファンに提供する。たとえば、出力部５は、「２−３」、「２−５」、「３−２」、「３−５」、「５−２」、「５−３」の６つ投票内容を含む第２投票内容グループ８と、評価部４によって評価された投票価値（的中率：１５％）を併せて表示する。なお、出力部５は、第２投票内容グループ８の投票価値の値に応じて出力態様を変えて出力してもよい。
【００１８】
このように、トータリゼータシステム１は、受付けた投票内容指定情報６が指定する第１投票内容グループ７と所定の関係にある第２投票内容グループ８と、その投票価値とを出力する。
【００１９】
これにより、トータリゼータシステム１は、購入する投票内容について再考する機会（第１投票内容グループ７と所定の関係にある第２投票内容グループについて購入するか考える機会）をファンに提供する。
【００２０】
このように、トータリゼータシステム１は、ファンの投票を支援することで、的中機会の喪失を抑止し、公営競技への参加意欲の低下を防ぎ、次回以降のレースにおける投票券の売り上げを向上できる。また、トータリゼータシステム１は、購入する投票内容について再考する機会（購入機会）を与えることで、今回のレースにおける投票券の売り上げも向上できる。
【００２１】
［第二の実施形態］
次に第二の実施形態のトータリゼータシステムについて説明する。図２は、第二の実施形態におけるトータリゼータシステムの概要を示す図である。
【００２２】
トータリゼータシステム１０は、公営競技におけるレース予想の投票に用いられる投票システムである。トータリゼータシステム１０は、投票所６０に配置された投票端末２０と、計算機センター７０に配置された投票管理サーバ３０と、投票支援装置４０と、投票ホスト５０と、を備える。
【００２３】
投票端末２０と投票管理サーバ３０とは、通信可能に接続する。また投票管理サーバ３０と、投票支援装置４０と、投票ホスト５０とは、それぞれ通信可能に接続する。
投票端末２０は、会員登録しているファンからの投票を受付ける端末である。投票管理サーバ３０は、投票端末２０で行われる投票を管理するサーバである。投票支援装置４０は、ファンによる投票を支援する装置である。投票ホスト５０は、トータリゼータシステム１０を統括的に制御する装置である。投票ホスト５０は、たとえば、投票データの集計処理、レース結果にもとづく的中・不的中のデータ管理、払戻処理を行う。
【００２４】
次に、投票支援装置４０のハードウェア構成について図３を用いて説明する。図３は、第二の実施形態における投票支援装置のハードウェア構成の一例を示す図である。
投票支援装置４０は、プロセッサ１４１によって装置全体が制御されている。プロセッサ１４１には、バス１４９を介してＲＡＭ（Random Access Memory）１４２と複数の周辺機器が接続されている。プロセッサ１４１は、マルチプロセッサであってもよい。プロセッサ１４１は、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ１４１は、ＣＰＵ、ＭＰＵ、ＤＳＰ、ＡＳＩＣ、ＰＬＤのうちの２以上の要素の組み合わせであってもよい。
【００２５】
ＲＡＭ１４２は、投票支援装置４０の主記憶装置として使用される。ＲＡＭ１４２には、プロセッサ１４１に実行させるＯＳ（Operating System）のプログラムやアプリケーションプログラムの少なくとも一部が一時的に格納される。また、ＲＡＭ１４２には、プロセッサ１４１による処理に必要な各種データが格納される。
【００２６】
バス１４９に接続されている周辺機器としては、ＨＤＤ（Hard Disk Drive）１４３、グラフィック処理装置１４４、入力インタフェース１４５、光学ドライブ装置１４６、機器接続インタフェース１４７およびネットワークインタフェース１４８がある。
【００２７】
ＨＤＤ１４３は、内蔵したディスクに対して、磁気的にデータの書き込みおよび読み出しを行う。ＨＤＤ１４３は、投票支援装置４０の補助記憶装置として使用される。ＨＤＤ１４３には、ＯＳのプログラム、アプリケーションプログラム、および各種データが格納される。なお、補助記憶装置としては、フラッシュメモリなどの半導体記憶装置を使用することもできる。
【００２８】
グラフィック処理装置１４４には、モニタ１４４ａが接続されている。グラフィック処理装置１４４は、プロセッサ１４１からの命令にしたがって、画像をモニタ１４４ａの画面に表示させる。モニタ１４４ａとしては、ＣＲＴ（Cathode Ray Tube）を用いた表示装置や液晶表示装置などがある。
【００２９】
入力インタフェース１４５には、キーボード１４５ａとマウス１４５ｂとが接続されている。入力インタフェース１４５は、キーボード１４５ａやマウス１４５ｂから送られてくる信号をプロセッサ１４１に送信する。なお、マウス１４５ｂは、ポインティングデバイスの一例であり、他のポインティングデバイスを使用することもできる。他のポインティングデバイスとしては、タッチパネル、タブレット、タッチパッド、トラックボールなどがある。
【００３０】
光学ドライブ装置１４６は、レーザ光などを利用して、光ディスク１４６ａに記録されたデータの読み取りを行う。光ディスク１４６ａは、光の反射によって読み取り可能なようにデータが記録された可搬型の記録媒体である。光ディスク１４６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００３１】
機器接続インタフェース１４７は、投票支援装置４０に周辺機器を接続するための通信インタフェースである。たとえば、機器接続インタフェース１４７には、メモリ装置１４７ａやメモリリーダライタ１４７ｂを接続することができる。メモリ装置１４７ａは、機器接続インタフェース１４７との通信機能を搭載した記録媒体である。メモリリーダライタ１４７ｂは、メモリカード１４７ｃへのデータの書き込み、またはメモリカード１４７ｃからのデータの読み出しを行う装置である。メモリカード１４７ｃは、カード型の記録媒体である。
【００３２】
ネットワークインタフェース１４８は、ネットワークに接続されている。ネットワークインタフェース１４８は、ネットワークを介して、投票管理サーバ３０との間、投票ホスト５０との間でデータの送受信を行う。
【００３３】
以上のようなハードウェア構成によって、第二の実施形態の投票支援装置４０の処理機能を実現することができる。なお、投票端末２０、投票管理サーバ３０、および投票ホスト５０も投票支援装置４０と同様のハードウェアにより処理機能を実現することができる。
【００３４】
投票支援装置４０は、たとえばコンピュータ読み取り可能な記録媒体に記録されたプログラムを実行することにより、第二の実施形態の処理機能を実現する。投票支援装置４０に実行させる処理を記述したプログラムは、様々な記録媒体に記録しておくことができる。たとえば、投票支援装置４０に実行させるプログラムをＨＤＤ１４３に格納しておくことができる。プロセッサ１４１は、ＨＤＤ１４３内のプログラムの少なくとも一部をＲＡＭ１４２にロードし、プログラムを実行する。また投票支援装置４０に実行させるプログラムを、光ディスク１４６ａ、メモリ装置１４７ａ、メモリカード１４７ｃなどの可搬型記録媒体に記録しておくこともできる。可搬型記録媒体に格納されたプログラムは、たとえばプロセッサ１４１からの制御により、ＨＤＤ１４３にインストールされた後、実行可能となる。またプロセッサ１４１が、可搬型記録媒体から直接プログラムを読み出して実行することもできる。
【００３５】
次に投票端末２０の機能について説明する。図４は、第二の実施形態における投票端末の機能ブロックを示す図である。投票端末２０は、制御部２１と、通信部２２と、表示部２３と、操作受付部２４とを含んで構成される。
【００３６】
制御部２１は、投票端末２０で行われる各種動作を制御する。通信部２２は、投票管理サーバ３０との間で行われる各種通信を制御する。表示部２３は、投票端末２０を操作するファンへの情報の出力を行う画面、ファンが情報の入力を行う画面を表示する。操作受付部２４は、各種操作を受付ける。
【００３７】
ここで、投票端末２０で行われる処理について説明する。
表示部２３が認証情報の入力指示画面を表示している間に、操作受付部２４は、ファンから認証操作（認証情報の入力）を受付けると、通信部２２を介して受付けた認証情報（たとえば、パスワード）を投票管理サーバ３０に通知する。
【００３８】
表示部２３が購入予定投票情報の入力指示画面を表示している間に、操作受付部２４は、ファンから購入予定投票情報の入力操作を受付けると、通信部２２を介して受付けた購入予定投票情報を投票管理サーバ３０に通知し、投票結果を表示する。
【００３９】
ここで、購入予定投票情報について図５を用いて説明する。図５は、第二の実施形態における購入予定投票情報の一例を示す図である。
購入予定投票情報２００は、レース情報と投票内容指定情報とを含む情報である。レース情報は、レースの開催場所、開催日、およびレース番号を特定可能（レースを一意に特定可能）な情報である。
【００４０】
投票内容指定情報は、投票内容グループを指定する情報である。投票内容指定情報は、賭け式、投票方式、競走対象番号を含む情報であり、これにより１以上の投票内容が投票内容グループとして指定される。投票内容指定情報により指定された投票内容グループを構成する各投票内容は、ファンが購入する予定の投票内容（購入予定投票内容）である。以下、投票内容指定情報により指定される投票内容グループを購入予定投票内容グループとする。
【００４１】
購入予定投票情報２００は、開催場所が「東京」で開催日が「２０１５年１月７日」であるレース番号「第４Ｒ」のレースにおいて「１−２−４」と「１−３−４」の２つの３連単を購入する予定であることを示している。図４に戻って投票端末２０で行われる処理について説明を続ける。
【００４２】
表示部２３が投票内容再考画面を表示している間に、操作受付部２４は、ファンから購入する投票内容の確定操作（購入投票内容の入力）を受付けると、通信部２２を介して受付けた購入投票情報を投票管理サーバ３０に通知する。投票内容再考画面は、投票内容再考情報にもとづいて生成される購入予定の投票内容の再考を促す画面である。投票内容再考画面については、後で図１３を用いて詳細に説明する。
【００４３】
ここで、購入投票情報について図６を用いて説明する。図６は、第二の実施形態における購入投票情報の一例を示す図である。
購入投票情報２１０は、レース情報と、賭け式と、購入投票内容とを含む情報である。購入投票内容は、確定した購入対象の投票内容（実際に購入される投票内容）である。購入投票情報２１０は、開催場所が「東京」で開催日が「２０１５年１月７日」であるレース番号「第４Ｒ」のレースにおいて「１−３−４」と「１−２−４」と「１−２−３」の３つの３連単が購入されることを示している。
【００４４】
次に投票管理サーバ３０の機能について説明する。図７は、第二の実施形態における投票管理サーバの機能ブロックを示す図である。
投票管理サーバ３０は、制御部３１と、通信部３２と、認証部３３と、会員情報記憶部３４と、要求部３５と、再考画面表示指示部３６と、投票処理部３７とを含んで構成される。
【００４５】
制御部３１は、投票管理サーバ３０で行われる各種動作を制御する。通信部３２は、投票端末２０との間、投票支援装置４０との間、および投票ホスト５０との間で行われる各種通信を制御する。認証部３３は、投票端末２０を操作するファンが、会員登録しているファン本人であるか認証する。会員情報記憶部３４は、会員の照合に用いる登録認証情報を記憶する。
【００４６】
要求部３５は、投票内容再考情報の生成要求を投票支援装置４０に行う。投票内容再考情報は、投票支援装置４０がファンに提案する投票内容グループ（提案投票内容グループ）と、その投票価値とを含む情報である。投票内容再考情報については、後で図１０を用いて詳細に説明する。再考画面表示指示部３６は、投票内容再考画面の表示指示を投票端末２０に行う。投票処理部３７は、投票を投票ホスト５０に行う。
【００４７】
ここで、投票管理サーバ３０で行われる処理について説明する。
認証部３３は、投票端末２０から認証情報を取得すると、予め登録しているファンの登録認証情報を会員情報記憶部３４から取得し、認証情報と登録認証情報とを照合して本人であるか認証した認証結果を、通信部３２を介して投票端末２０に通知する。
【００４８】
要求部３５は、投票端末２０から購入予定投票情報を取得すると、通信部３２を介して購入予定投票情報を通知するとともに、投票内容再考情報の生成要求を投票支援装置４０に行う。
【００４９】
再考画面表示指示部３６は、投票支援装置４０から投票内容再考情報の生成要求の結果（投票内容再考情報）を取得すると、投票内容再考情報を通知するとともに投票内容再考画面の表示指示を投票端末２０に行う。
【００５０】
投票処理部３７は、投票端末２０から購入投票情報を取得すると、購入投票情報にもとづいた投票を投票ホスト５０に行う。
次に投票支援装置４０の機能について説明する。図８は、第二の実施形態における投票支援装置の機能ブロックを示す図である。
【００５１】
投票支援装置４０は、制御部４１と、通信部４２と、提案投票内容グループ生成部４３と、生成規則記憶部４４と、評価部４５と、投票履歴情報記憶部４６と、投票内容再考情報出力部４７と、投票履歴情報更新部４８とを含んで構成される。
【００５２】
制御部４１は、投票支援装置４０で行われる各種動作を制御する。通信部４２は、投票管理サーバ３０との間、および投票ホスト５０との間で行われる各種通信を制御する。提案投票内容グループ生成部４３は、購入予定投票情報にもとづいて提案投票内容グループを生成する。生成規則記憶部４４は、投票方式毎に対応する生成規則を記憶する。評価部４５は、購入予定投票内容グループの投票価値と、提案投票内容グループの投票価値を評価する。投票内容再考情報出力部４７は、投票内容再考情報を出力する。投票履歴情報更新部４８は、投票履歴情報記憶部４６を更新する。
【００５３】
ここで、投票支援装置４０で行われる処理について説明する。
提案投票内容グループ生成部４３は、投票管理サーバ３０から投票内容再考情報の生成要求を受付けると、投票管理サーバ３０から通知された購入予定投票情報にもとづいて提案投票内容グループを生成する。
【００５４】
具体的には、提案投票内容グループ生成部４３は、購入予定投票情報が含む投票内容指定情報に含まれる投票方式にもとづいて、生成規則記憶部４４が記憶する提案投票内容グループの生成規則を取得する。提案投票内容グループ生成部４３は、取得した生成規則と、投票内容指定情報に含まれる賭け式および競走対象番号にもとづいて、提案投票内容グループを生成する。
【００５５】
ここで、生成規則および提案投票内容グループの生成について具体例を用いて説明する。まず投票内容指定情報に含まれる投票方式が「フォーメーション」である場合に取得される生成規則について説明する。たとえば、「フォーメーション」に対応する生成規則は、以下の３つの生成規則がある。
【００５６】
（生成規則１）フォーメーションの選択規則に沿って選択されている各競走対象番号を、選択されている賭け式に沿ってボックス方式で組み合わせる。組み合わせることで生成された投票内容のうち、購入予定投票内容と重複する投票内容を除外する。
【００５７】
たとえば、賭け式が「三連単」で、一着の競走対象番号として「１」、二着の競走対象番号として「２，３」、三着の競走対象番号として「４」が選択されている場合、（生成規則１）によれば、「１−２−３，１−３−２，１−４−２，１−４−３，２−１−３，２−１−４，２−３−１，２−３−４，２−４−１，２−４−３，３−１−２，３−１−４，３−２−１，３−２−４，３−４−１，３−４−２，４−１−２，４−１−３，４−２−１，４−２−３，４−３−１，４−３−２」が提案投票内容グループとして生成される。
【００５８】
（生成規則２）フォーメーションの選択規則に沿って選択されている各競走対象番号を、選択されている賭け式に沿ってボックス方式で組み合わせる。組み合わせることで生成された投票内容のうち、購入予定投票内容と重複する投票内容を除外する。さらに、投票内容において二着として選択された競走対象番号が一着として選択された競走対象番号より上位になっている投票内容と、三着として選択された競走対象番号が一着、二着として選択された競走対象番号より上位になっている投票内容を除外する。
【００５９】
たとえば、賭け式が「三連単」で、一着の競走対象番号として「１」、二着の競走対象番号として「２，３」、三着の競走対象番号として「４」が選択されている場合、（生成規則２）によれば、「１−２−３，１−３−２，２−３−４，３−２−４」が提案投票内容グループとして生成される。
【００６０】
（生成規則３）フォーメーションの選択規則に沿って選択されている各競走対象番号を、選択されている賭け式に沿ってボックス方式で組み合わせる。組み合わせることで生成された投票内容のうち、購入予定投票内容の裏目以外を除外する。
【００６１】
たとえば、賭け式が「三連単」で、一着の競走対象番号として「１」、二着の競走対象番号として「２，３」、三着の競走対象番号として「４」が選択されている場合、（生成規則３）によれば、「１−４−２，１−４−３，２−１−４，２−４−１，３−１−４，３−４−１，４−１−２，４−１−３，４−２−１，４−３−１」が提案投票内容グループとして生成される。
【００６２】
次に投票内容指定情報に含まれる投票方式が「軸流し」の場合に取得される生成規則について説明する。たとえば、「軸流し」に対応する生成規則は、以下の２つの生成規則がある。
【００６３】
（生成規則１）軸流しの選択規則に沿って相手として選択されている各競走対象番号を、選択されている賭け式に沿ってボックス方式で組み合わせる。
たとえば、賭け式が「二連単」で一着軸の競走対象番号として「１」、相手着の競走対象番号として「２，３，４」が選択されている場合、（生成規則１）によれば、「２−３，２−４，３−２，３−４，４−２，４−３」（いわゆる“縦目”）が提案投票内容グループとして生成される。
【００６４】
（生成規則２）軸流しの選択規則に沿って軸として選択されている競走対象番号を軸、残りの全ての競走対象番号を相手として、選択されている賭け式に沿って軸流し方式で組み合わせる。組み合わせることで生成された投票内容のうち、購入予定投票内容と重複する投票内容を除外する。
【００６５】
たとえば、賭け式が「二連単」で一着軸の競走対象番号として「１」、相手着の競走対象番号として「２，３，５」が選択されており、競走対象番号が１〜６までである場合、（生成規則２）によれば、「１−４，１−６」（いわゆる“抜け目”）が提案投票内容グループとして生成される。
【００６６】
次に投票内容指定情報に含まれる投票方式が「ボックス」である場合の生成規則について説明する。たとえば、「ボックス」に対応する生成規則は、以下の生成規則がある。
（生成規則）レースにおいて一番人気の競走対象番号を一着軸、ボックスの選択規則に沿って選択されている各競走対象番号を相手として、選択されている賭け式に沿って組み合わせる。組み合わせることで生成された投票内容のうち、購入予定投票内容と重複する投票内容を除外する。
【００６７】
たとえば、賭け式が「三連単」で競走対象番号として「１，２，３，４」が選択されており、一番人気の競走対象番号が「６」である場合、（生成規則）によれば、「６−１−２，６−１−３，６−１−４，６−２−１,６−２−３,６−２−４，６−３−１，６−３−２，６−３−４，６−４−１，６−４−２，６−４−３」が提案投票内容グループとして生成される。
【００６８】
次に投票内容指定情報に含まれる投票方式が「個別」である場合の生成規則について説明する。たとえば、「個別」に対応する生成規則は、以下の生成規則がある。
（生成規則）個別の選択規則に沿って選択されている競走対象番号を、選択されている賭け式に沿ってボックス方式で組み合わせる。組み合わせることで生成された投票内容のうち、購入予定投票内容と重複する投票内容を除外する。
【００６９】
たとえば、賭け式が「２連単」であり一着、二着の競走対象番号の組合せとして「１−２」、「１−３」が選択されている場合、（生成規則）によれば「２−１，２−３，３−１，３−２」が提案投票内容グループとして生成される。
【００７０】
なお上記で説明した生成規則は一例であってこれに限らない。また、生成規則記憶部４４は、所定の投票方式に対応する提案投票内容グループの生成規則として、複数の生成規則を記憶していてもよい。
【００７１】
評価部４５は、提案投票内容グループ生成部４３が提案投票内容グループを生成すると、投票履歴情報記憶部４６に記憶されたファンの投票履歴情報を参照し、購入予定投票内容の投票価値（期待度）および提案投票内容グループの投票価値（期待度）を評価する。
【００７２】
ここで、投票履歴情報記憶部４６が記憶する投票履歴情報について図９を用いて説明する。図９は、第二の実施形態における投票履歴情報記憶部が記憶する投票履歴情報の一例を示す図である。
【００７３】
投票履歴情報記憶部４６は、ファン毎の投票履歴情報４６ａを有する。投票履歴情報４６ａは、ファンが参加（投票）したレースの投票履歴を示す情報である。投票履歴情報４６ａは、購入予定投票内容グループの投票価値の評価、提案投票内容グループの投票価値の評価に用いられる。投票履歴情報４６ａは、ファンが入力した購入予定投票情報と、購入する予定であった購入予定投票内容グループと、購入する際に提案した提案投票内容グループと、購入予定投票内容グループの的中率と、提案投票内容グループの的中率との項目を含んで構成される。なお、生成規則が複数ある場合には、生成規則毎に提案投票内容グループと、提案投票内容グループの的中率を設定すればよい。
【００７４】
購入予定投票情報の項目には、ファンが入力した購入予定投票情報が設定される。購入予定投票情報の項目には、購入予定投票情報として入力されたレース情報と、投票内容指定情報が設定される。
【００７５】
購入予定投票内容グループの項目には、購入予定投票情報の項目に設定された投票内容指定情報によって指定される１以上の購入予定投票内容を含む購入予定投票内容グループが設定される。
【００７６】
提案投票内容グループの項目には、購入予定投票情報の項目に設定された投票内容指定情報にもとづいて提案投票内容グループ生成部４３が生成した提案投票内容グループが設定される。
【００７７】
購入予定投票内容グループの的中率の項目には、購入予定投票内容グループを構成する購入予定投票内容が的中した確率が設定される。提案投票内容グループの的中率の項目には、提案投票内容グループを構成する提案投票内容が的中した確率が設定される。
【００７８】
たとえば、評価部４５は、今回の投票方式と一致する投票方式を含む投票内容指定情報が入力されたレースにおける購入予定投票内容グループの的中率の平均値を、今回のレースにおける購入予定投票内容グループの投票価値として算出する。また、評価部４５は、今回の投票方式と一致する投票方式を含む投票内容指定情報が入力されたレースにおける提案投票内容グループの的中率の平均値を、今回のレースにおける提案投票内容グループの投票価値として算出する。図８に戻って投票支援装置４０で行われる処理について説明を続ける。
【００７９】
投票内容再考情報出力部４７は、評価部４５が購入予定投票内容の投票価値および提案投票内容グループの投票価値を評価すると、投票内容再考情報を出力する。
ここで、投票内容再考情報出力部４７が出力する投票内容再考情報について図１０を用いて説明する。図１０は、第二の実施形態における投票内容再考情報の一例を示す図である。
【００８０】
投票内容再考情報は、購入予定投票情報と、購入予定投票内容グループと、提案投票内容グループと、購入予定投票内容グループの投票価値と、提案投票内容グループの投票価値との項目を含んで構成される。
【００８１】
購入予定投票内容グループの投票価値の項目には、評価部４５が評価した購入予定投票内容の投票価値が設定される。提案投票内容グループの投票価値の項目には、評価部４５が評価した提案投票内容グループの投票価値が設定される。図８に戻って投票支援装置４０で行われる処理について説明を続ける。
【００８２】
投票履歴情報更新部４８は、投票内容再考情報出力部４７が投票内容再考情報を出力すると、投票履歴情報を更新する。また、投票履歴情報更新部４８は、レース結果が確定すると、投票履歴情報を更新する。これにより投票履歴情報記憶部４６が記憶する投票履歴情報にファンの投票の履歴が適宜更新される。
【００８３】
次にトータリゼータシステム１０における投票処理の流れについて図１１，１２を用いて説明する。図１１，１２は、第二の実施形態におけるトータリゼータシステムの投票処理を示すシーケンス図である。ファンが投票端末２０の操作を開始すると投票処理は開始する。
【００８４】
［ステップＳ１１］制御部２１は、表示部２３で認証情報の入力指示画面をファンに対して表示し、操作受付部２４でファンから認証操作（認証情報の入力）を受付ける。
［ステップＳ１２］操作受付部２４は、受付けた認証情報を投票管理サーバ３０に通知する。
【００８５】
［ステップＳ１３］認証部３３は、操作受付部２４が通知した認証情報を取得し、ファンの登録認証情報を会員情報記憶部３４から取得し、登録認証情報と認証情報とを照合して、ファン本人であるか否か認証する。
【００８６】
［ステップＳ１４］認証部３３は、認証結果を投票端末２０に通知する。
［ステップＳ１５］制御部２１は、認証部３３から通知された認証結果を取得して、認証結果が認証成功であるか否かを判定する。制御部２１が、認証結果が認証成功であると判定した場合にはステップＳ１６にすすみ。制御部２１が、認証結果が認証失敗であると判定した場合には投票処理を終了する。
【００８７】
［ステップＳ１６］制御部２１は、表示部２３で購入予定投票情報の入力指示画面をファンに対して表示して、操作受付部２４でファンから購入予定投票情報の入力操作（レース情報および投票内容指定情報の入力）を受付ける。
【００８８】
［ステップＳ１７］操作受付部２４は、受付けた購入予定投票情報を投票管理サーバ３０に通知する。
［ステップＳ１８］要求部３５は、通知された購入予定投票情報を取得して、投票内容再考情報の生成を投票支援装置４０に要求するとともに購入予定投票情報を投票支援装置４０に通知する。
【００８９】
［ステップＳ１９］提案投票内容グループ生成部４３は、投票内容再考情報の生成要求を受付けると、提案投票内容グループ生成処理を行う。提案投票内容グループ生成処理において、提案投票内容グループ生成部４３は、投票管理サーバ３０から通知された投票内容指定情報にもとづいて１以上の提案投票内容を含む提案投票内容グループを生成する。提案投票内容グループ生成処理については後で図１４を用いて詳細に説明する。
【００９０】
［ステップＳ２０］評価部４５は、投票履歴情報記憶部４６を参照して、提案投票内容グループの投票価値を評価する。
［ステップＳ２１］評価部４５は、投票履歴情報記憶部４６を参照して、購入予定投票内容グループの投票価値を評価する。
【００９１】
［ステップＳ２２］投票内容再考情報出力部４７は、レース情報と、購入予定投票内容グループと、購入予定投票内容グループの投票価値と、提案投票内容グループと、提案投票内容グループの投票価値とを含む投票内容再考情報を出力する。
【００９２】
［ステップＳ２３］再考画面表示指示部３６は、投票内容再考情報を取得すると、投票内容再考情報を通知するともに投票内容再考画面の表示指示を投票端末２０に行う。
［ステップＳ２４］表示部２３は、投票内容再考画面表示指示を受付けると、通知された投票内容再考情報にもとづいて投票内容再考画面を表示する。
【００９３】
ここで投票内容再考画面について、図１３を用いて説明する。
図１３は、第二の実施形態における投票内容再考画面の一例を示す図である。投票内容再考画面２２０は、レース情報表示領域２２１と、購入予定投票内容グループ表示領域２２２と、提案投票内容グループ表示領域２２３と、投票価値表示領域２２４と、確定操作入力ボタン２２５とを含んで構成される。
【００９４】
レース情報表示領域２２１は、投票内容再考情報に含まれるレース情報を表示する。購入予定投票内容グループ表示領域２２２は、投票内容再考情報に含まれる購入予定投票内容グループを表示する。
【００９５】
提案投票内容グループ表示領域２２３は、投票内容再考情報に含まれる提案投票内容グループを表示する。提案投票内容グループ表示領域２２３は、表示した提案投票内容グループを構成する各提案投票内容と対応付けて操作ボタンを表示する。
【００９６】
提案投票内容グループ表示領域２２３は、「１−２−３」、「１−３−２」、「３−２−４」、「２−３−４」の４つの提案投票内容を表示し、各提案投票内容の購入操作に用いられる操作ボタン２２３ａ〜２２３ｄを表示している。
【００９７】
投票価値表示領域２２４は、投票内容再考情報に含まれる購入予定投票内容グループの投票価値と、投票内容再考情報に含まれる提案投票内容グループの投票価値とを表示する。
【００９８】
確定操作入力ボタン２２５は、購入投票内容の確定操作に用いられるボタンである。ファンが確定操作入力ボタン２２５を押下げると、購入投票内容が確定する。たとえば、ファンが投票内容再考画面２２０において確定操作入力ボタン２２５を押下げると、操作受付部２４は、操作ボタンが押下げられた提案投票内容と、購入予定投票内容を購入投票内容として取得する。
【００９９】
このように、トータリゼータシステム１０は、提案投票内容グループの投票価値を、比較対象となる購入予定投票内容グループの投票価値と併せて表示する。これにより、トータリゼータシステム１０は、提案投票内容グループの投票価値を購入しようとしている内容（購入予定投票内容グループ）と相対的に判断できるようにして、ファンの判断（再考）を補助することができる。
【０１００】
なお上記投票内容再考画面２２０は一例であってこれに限らない。たとえば、表示部２３は、購入予定投票内容グループの投票価値よりも提案投票内容グループの投票価値の方が高い場合と、低い場合とで、投票価値表示領域２２４に表示する表示内容を変更してもよい。
【０１０１】
たとえば、表示部２３は、購入予定投票内容グループの投票価値よりも提案投票内容グループの投票価値の方が高い場合、投票価値表示領域２２４に提案投票内容グループの購入を推奨する内容の文章を併せて表示する。
【０１０２】
また、表示部２３は、提案投票内容グループの投票価値が所定の閾値よりも高い場合と、低い場合とで、投票価値表示領域２２４に表示する表示内容を変更してもよい。たとえば、表示部２３は、提案投票内容グループの投票価値の方が閾値よりも高い場合、投票価値表示領域２２４に提案投票内容グループの購入を推奨する内容の文章を併せて表示する。
【０１０３】
また表示部２３は、購入予定投票内容グループの投票価値が所定の閾値よりも高い場合と、低い場合とで、投票価値表示領域２２４に表示する表示内容を変更してもよい。たとえば、表示部２３は、購入予定投票内容グループの投票価値の方が閾値よりも低い場合、投票価値表示領域２２４に提案投票内容グループの購入を推奨する内容の文章を併せて表示する。
【０１０４】
なお、出力態様は、表示部２３が決定することに限らない。たとえば、投票支援装置４０の出力部が決定し、出力態様を含む投票内容再考情報を投票端末２０に通知してもよい。
【０１０５】
［ステップＳ２５］操作受付部２４は、ファンから購入する投票内容の確定操作（購入投票内容の入力）を受付ける。
［ステップＳ２６］操作受付部２４は、購入投票情報を投票管理サーバ３０に通知する。
【０１０６】
［ステップＳ２７］投票処理部３７は、投票端末２０から通知された購入投票情報を取得し、購入投票情報に基づいた投票を投票ホスト５０に行う。
次に、提案投票内容グループ生成処理について図１４を用いて説明する。図１４は、第二の実施形態における提案投票内容グループ生成処理のフローチャートを示す図である。提案投票内容グループ生成処理は、図１１のステップＳ１９で行われる処理である。
【０１０７】
［ステップＳ４１］提案投票内容グループ生成部４３は、投票内容指定情報に含まれる投票方式に基づいて、生成規則記憶部４４が記憶する生成規則を取得する。
［ステップＳ４２］提案投票内容グループ生成部４３は、取得した生成規則と、投票内容指定情報に含まれる賭け式と競走対象番号にもとづいて、提案投票内容グループを生成する。
【０１０８】
このように、トータリゼータシステム１０は、購入予定投票情報を受付けると、購入予定投票内容グループと所定の関係にある提案投票内容グループと、提案投票内容グループの投票価値と、購入予定投票内容の評価価値とをファンに提供する。
【０１０９】
これにより、トータリゼータシステム１０は、購入予定投票内容グループのままで投票するか、提案投票内容グループを追加して購入するか再考する機会をファンに提供する。
このように、トータリゼータシステム１０は、ファンの投票を支援することで、的中機会の喪失を抑止し、公営競技への参加意欲の低下を防ぎ、次回以降のレースにおける投票券の売り上げを向上できる。また、トータリゼータシステム１０は、購入予定投票内容グループのままで投票するか、提案投票内容グループを追加して購入するか再考する機会（提案投票内容グループの購入機会）を与えることで、今回のレースにおける投票券の売り上げも向上できる。
【０１１０】
なお、上記の投票支援装置４０の処理機能は、コンピュータによって実現することができる。その場合、投票支援装置４０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ／ＲＷなどがある。光磁気記録媒体には、ＭＯ（Magneto Optical disk）などがある。
【０１１１】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１２】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送される毎に、逐次、受取ったプログラムにしたがった処理を実行することもできる。
【０１１３】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１１４】
１  トータリゼータシステム
２  受付部
３  生成部
４  評価部
５  出力部
６  投票内容指定情報
７  第１投票内容グループ
８  第２投票内容グループ
【図１】
2017068588.tif 000003
【図２】
2017068588.tif 000004
【図３】
2017068588.tif 000005
【図４】
2017068588.tif 000006
【図５】
2017068588.tif 000007
【図６】
2017068588.tif 000008
【図７】
2017068588.tif 000009
【図８】
2017068588.tif 000010
【図９】
2017068588.tif 000011
【図１０】
2017068588.tif 000012
【図１１】
2017068588.tif 000013
【図１２】
2017068588.tif 000014
【図１３】
2017068588.tif 000015
【図１４】
2017068588.tif 000016